(57)【要約】【課題】簡単で安価に製造することができる構造を有しており、予め調量可能なわずかな空気量で機能する装置を提供する。【解決手段】本発明は、枚葉紙加工機に枚葉紙を単独の枚葉紙または枚葉紙の流れとして搬送するための枚葉紙分離装置用の空気供給を簡略化するための装置に関する。ここで、枚葉紙がパイルから分離される。枚葉紙分離装置において、消費装置から噴射空気または吸引空気を供給するために、制御可能であり好適には速度に依存して制御可能でもある、たとえばピンチ弁の形態の少なくとも１つの消費装置制御弁の圧力付与部を設けるようになっている。【選択図】図１
2008024519.tif 000002
【特許請求の範囲】
【請求項１】
枚葉紙加工機に枚葉紙を供給するためにパイルから枚葉紙を分離するための枚葉紙分離装置内で噴射空気および／または吸引空気消費装置から噴射空気および／または吸引空気需要量を制御するための装置であって、
１つのまたは複数の消費装置につながる空気供給ラインを貫流する噴射空気量および／または吸引空気量を変更するための調節装置を有する制御弁であって、前記空気供給ラインから前記消費装置への流過横断面を空気の付与によって変化させる弁部材が設けられている制御弁を有する装置において、
弁部材(６,８)は、前記消費装置につながる噴射空気および／または吸引空気の空気供給ラインの搬送路のうち少なくとも１つに対応して直接設けられており、かつ、前記弁部材(６,８)は、噴射空気および／または吸引空気を前記消費装置に導く前記空気供給ライン(１０,１１)の一部であることを特徴とする装置。
【請求項２】
請求項１に記載の装置において、
前記弁部材(６,８)は、別個の制御空気用の供給ラインシステム(１,１.１,１.２;５.１,５.２,５.３;９)に接続されていることを特徴とする装置。
【請求項３】
請求項１または請求項２に記載の装置において、
制御空気用の前記供給ラインシステム(１,１.１,１.２;５.１,５.２,５.３;９)内に、制御空気の圧力を調節するための調節装置(２)が設けられていることを特徴とする装置。
【請求項４】
請求項１ないし請求項３のいずれか１項に記載の装置において、
制御空気用の前記供給ラインシステムにおいて、前記枚葉紙加工機の速度に応じて制御空気の圧力の変化によって前記弁部材(６,８)の流過横断面を調節することができる圧力制御弁(４)が設けられていることを特徴とする装置。
【請求項５】
請求項４に記載の装置において、
前記弁部材(６,８)において噴射空気または吸引空気を消費装置空気として導く通路が印刷機の速度が低い場合には収縮し、印刷機の速度が高くなるにつれて拡張されるように、前記圧力制御弁(４)を用いて制御空気を速度に依存して調量し、それにより、速度が低い場合は空気流量を少なくし、速度が高い場合は空気流量を多くすることができるようになっていることを特徴とする装置。
【請求項６】
請求項１ないし請求項５のいずれか１項に記載の装置において、
制御空気は、マルチポート弁(３,７)を介して前記弁部材(６,８)に供給されるようになっていることを特徴とする装置。
【請求項７】
請求項６に記載の装置において、
前記マルチポート弁(３,７)は、第１の切り替え位置を有しており、該第１の切り替え位置において、消費装置制御弁(６,８)は制御空気によって閉止され、
前記マルチポート弁(３,７)は、第２の切り替え位置を有しており、該第２の切り替え位置において、前記消費装置制御弁(６,８)は制御空気によって開放されるようになっていることを特徴とする装置。
【請求項８】
請求項６または請求項７に記載の装置において、
枚葉紙パイルの最上の枚葉紙を分離するために必要な噴射空気および／または吸引空気は、前記第２の切り替え位置において、前記圧力制御弁(４)を介して案内される制御空気を用いて前記マルチポート弁(３,７)によって、開放される前記消費装置制御弁(６,８)において調量可能になっていることを特徴とする装置。
【請求項９】
請求項２ないし請求項８のいずれか１項に記載の装置において、
すべての消費装置制御弁(６,８)は、制御空気を供給するための同一のシステムに接続されていることを特徴とする装置。
【請求項１０】
請求項９に記載の装置において、
前記消費装置制御弁(６,８)はピンチ弁として構成されていることを特徴とする装置。
【発明の詳細な説明】
【技術分野】
【０００１】
本発明は、請求項１のプレアンブルに記載の装置に関する。
【背景技術】
【０００２】
印刷機等の枚葉紙加工機に枚葉紙を供給するための搬送装置の消費装置用の供給空気制御および／または噴射空気制御を行うことが公知となっている。この場合、消費装置の圧力接続部には、供給ラインを介して圧力空気源の負圧および／または過圧を付与することができるようになっていてもよい。これに関連して、無段階空気切り替えが公知となっている。この無段階空気切り替えは、枚葉紙分離装置を運転するための誘導空気または分離空気を生成するために使われている。この枚葉紙分離装置は、枚葉紙パイルのそれぞれ最上にある枚葉紙を分離して、分離した枚葉紙を搬送装置内に供給するために使用される。
【０００３】
この種の制御部は、特に枚葉紙加工機用の枚葉紙給紙機では、吸引装置に負圧を供給すること、または噴射ノズルに過圧を供給することを必要とする。各負圧源または過圧源および対応の空気圧式制御ユニットからは、比較的長尺な供給ラインが消費装置まで延びている。紙、厚紙、段ボール紙または薄鋼板等の加工可能とすべき様々な種類の枚葉体は、消費装置における圧力の付与または負圧の付与の強度および時期の適合を必要とする。
【０００４】
特許文献１より、枚葉紙給紙機の圧縮空気の供給のための制御弁が公知となっている。噴射空気消費装置からの噴射空気需要量を制御するために制御弁が設けられている。この制御弁は、貫流する噴射空気量を変更するための調節装置を有している。ここで、流過横断面を変化させる弁部材が設けられている。流過横断面は、枚葉紙加工機の速度に依存して調節可能である。制御弁はスライド弁であり、その弁スライダは、枚葉紙加工機の速度に依存する位置に移動可能となっており、かつ、弾性力に抗って可変の制御圧力が付与可能になっているスライド可能なピストンを有している。
【０００５】
特許文献２より、噴射空気消費装置からの噴射空気需要量を制御するための装置が公知となっている。この場合、制御弁は、電動モータ式調節装置によって調節可能である。この調節装置は、制御電子部品によって制御される。制御電子部品から制御弁に供給された制御信号は、制御弁および噴射空気消費装置間の供給ライン内の噴射空気圧と、枚葉紙加工機の印刷機回転数と、加工すべき枚葉紙の種類とに依存して生成される。制御弁は、調節装置によって調節可能な弁部材を有している。この弁部材によって、噴射空気路から外方に通じる開口部を多少開放することができる。これによって、噴射空気消費装置から供給可能な噴射空気圧が制御可能となる。
【０００６】
さらに、特許文献３より、枚葉紙給紙機用の噴射空気制御部が公知になっている。この文献に記載されている装置は電動モータを有している。この電動モータによって、制御弁の弁部材が調節可能となっている。この場合、電動モータと弁部材との間に、減速伝動装置が設けられている。さらに、電動モータは、制御機を運転するための特別なエネルギー供給を必要とする。このエネルギー供給部は、印刷機制御部と組み合わせてさらなる調節装置によって機械的に干渉される。
【０００７】
最終的に、特許文献４より、パイルから最上の枚葉紙を剥離するための装置が公知となっている。この装置は噴射ノズルを備えており、噴射ノズルの空気供給は、制御スライダによってスイッチオン・オフすることができる。制御スライダの運動は、吸引空気を付与可能なピストンを用いて行われる。このピストンは２つの最終位置間を移動する。噴射ノズルにおける噴射空気量の制御は不可能である。
【０００８】
特許文献５より、吸引および／または噴射空気制御部が公知となっている。この制御部は、枚葉紙加工機に枚葉紙を供給するための供給装置の消費装置用に設けられており、かつ、供給ラインを介して消費装置の圧力接続部によって負圧および／または過圧源の負圧および／または過圧を付与可能である。消費装置の圧力接続部には、電気制御式の弁の接続部が直接接続されている。弁は、電子制御装置によって制御可能であり、供給ラインに接続されている。電気制御可能な弁の噴射空気接続部または吸引空気接続部には、複数の消費装置の圧力接続部を接続することができる。消費装置および電気制御可能な弁は、１つの構造ユニットを形成し得る。
【特許文献１】独国特許発明第195 14 746号明細書
【特許文献２】独国特許出願公開第42 07 635号明細書
【特許文献３】独国特許出願公開第21 46 121号明細書
【特許文献４】東独国特許第4 229号明細書
【特許文献５】独国特許出願公開第195 43 440号明細書
【発明の開示】
【発明が解決しようとする課題】
【０００９】
分離装置の起動運転時に対応の機能部材において枚葉紙を分離する際には少量の空気量が必要である、ということが公知となっている。これに対して、速度が速くなるにつれて、多量の空気量が必要となる。
【００１０】
対応の消費装置からこのように空気供給することは、公知の装置においては、高価な制御部とそれに応じた高価な装置とを用いることによってのみ可能となる。
【００１１】
したがって本発明の課題は、冒頭に記載の種類の装置を提供することである。この装置は、簡単で安価に製造することができる構造を有しており、予め調量可能なわずかな空気量で機能する。
【課題を解決するための手段】
【００１２】
上記課題の解決手段は、請求項１の特徴に従って構成される。
【００１３】
圧力弁が、消費装置用の空気流入部を形成するピンチ弁として構成されていることが好適である。このピンチ弁は、空気供給を制御する空気圧式制御装置を用いて調節可能になっている。
【００１４】
このために、ピンチ弁は、第１の切り替え位置にあるマルチポート弁を介して圧縮空気を用いて閉止され得る。これによって、消費装置への空気供給が中断される。
【００１５】
第２の切り替え位置において、圧縮空気は、マルチポート弁において、制御可能な電子空気圧式圧力制御弁によって速度に応じて調量され得る。この制御空気をピンチ弁に供給するために、ピンチ弁の通路は、速度が低い場合は収縮し、速度が高い場合には拡張される。これによって、速度が低い場合には空気流量が少なくなり、速度が高い場合には空気流量が多くなる。この場合、弁は、弁の構成に即した好適な流れ特性を有する。
【００１６】
たとえば、枚葉紙分離装置において速度が低い場合に、誘導空気または分離空気用の空気流量を少なくすることができる。このことは、実際の使用では起動運転時に好都合であるということが分かっている。同様のことが、速度が最大になっている場合に空気流量が満タンになるという場合にも当てはまる。
【００１７】
さらなる好適な構成において、枚葉紙パイルの最上の枚葉紙を分離するために必要な吸引空気は、さらなるピンチ弁を介して制御された上で、さらなるマルチポート弁に導かれ得る。
【００１８】
上述した構成同士を組み合わせることによって、枚葉紙分離機において第１の枚葉紙を誘導することが、そのために吸引空気を導く前に可能になる。こうすると、実際の使用において好都合であるということが分かっている。
【００１９】
好適な構成では、センサを用いて枚葉紙１枚につき必要な空気を予め調節して基準信号として制御弁に伝達することによって、電子制御を行うことができる。この制御は、枚葉紙給紙機に対応して設けられているＳＰＳ内部において、枚葉紙スループット(Bogenleistung)を評価することによって、パルスインプット時に行うことができる。このパルスインプットによって、制御弁を制御することができる。
【００２０】
さらなる好適な構成は、従属請求項から明らかである。
【発明を実施するための最良の形態】
【００２１】
以下、図を用いて一実施例を詳細に説明する。
【００２２】
供給ライン１を介して、制御空気が、調節可能な圧力弁２に供給される。圧力弁では、一定の作動圧力が、空気制御部のための制御空気全体に対して調整される。このために、圧力弁には表示装置を設けてもよい。
【００２３】
さらに、制御ライン１.１を介して、制御空気が第１のマルチポート弁３に供給される。マルチポート弁３から、さらなる２つの制御ライン５.１および５.２が延びている。制御ライン５.２内には圧力弁４が設けられている。制御ライン５.１および５.２は、さらなる制御ライン５.３で合流する。制御ライン５.３は、第１の消費装置制御弁６につながる。消費装置制御弁６は、いわゆるピンチ弁として構成されている。この場合、供給ライン１０が、圧力が付与可能な弾性供給ライン部材として、消費装置制御弁６を通って消費装置に通じている。消費装置制御弁６は、たとえば枚葉紙分離装置の消費装置に対して噴射空気を供給するために設けられている。
【００２４】
さらに、制御空気は、制御ライン１.２を介して第２のマルチポート弁７に供給される。マルチポート弁７から、さらなる制御ライン９が延びている。制御ライン９は、第２の消費装置制御弁８につながる。消費装置制御弁８も、いわゆるピンチ弁として構成されている。この場合、供給ライン１１が、圧力が付与可能な弾性供給ライン部材として、消費装置制御弁８を通って消費装置に通じている。消費装置制御弁８は、たとえば枚葉紙分離装置の消費装置に対して吸引空気を供給するために設けられている。
【００２５】
本装置の機能は以下の通りである。
マルチポート弁３は、基本位置においては、切り替え位置で圧縮空気が消費装置制御弁(ピンチ弁)６を完全に閉止するように機能する。その際、圧力弁２で調節された制御空気の全圧力が、制御ライン５.３に印加される。その際、消費装置制御弁６では、消費装置に通じる供給ライン１０が、弾性供給ライン部材の領域において、制御空気の圧力によって圧搾され、それにより空気流量が遮断される。
【００２６】
制御空気の圧力によって制御ライン５.２および５.３を介して消費装置制御弁６が制御ライン１０の通路を意図した通りに収縮または拡張するように、制御空気はマルチポート弁３の第２の切り替え位置においてたとえばアナログ式に制御可能な電磁空気式圧力制御弁４を介して調量される。圧力制御弁４の圧力制御が速度に依存して行われることが好ましい。すなわち、圧力制御弁４での調節が、適切かつそれ自体公知の制御部によって、枚葉紙分離装置の速度に依存して変更されることが好ましい。基本的に、圧力制御弁４は、印刷機の速度が低い場合は制御空気の圧力をわずかに減少させ、印刷機の速度が高い場合は制御空気の圧力を大幅に減少させる。したがって、印刷機の速度が低い場合は、消費装置制御弁６の通過開口断面が減少するということになる。これに対して、印刷機の速度が高くなるにつれて、供給ライン１０の通過開口断面は拡張される。したがって、これにより、印刷機の速度が低い場合は空気流量が少なくなり、速度が速い場合は空気流量が多くなる、ということが実現される。
【００２７】
本装置は、消費装置制御弁(ピンチ弁)６に対する供給圧力がこの弁に前置されている表示機において簡単な方法で読み取り可能である、という特別な利点を提供する。したがって動作を改良することができる。実際に使用する際には、印刷機の速度が低い場合に起動運転時に誘導空気および分離空気の空気流量が小さいと枚葉紙を分離する際に非常に好都合である、ということが分かっている。同時に、印刷機の速度が最高になっている場合に空気流量が最大になっていることも好都合である。
【００２８】
ここまで説明してきた本発明に係る装置の部分は、枚葉紙分離装置の噴射空気消費装置に関するものである。ここでは特に、分離空気ブロワ、誘導空気ブロワ、および支持空気ブロワが使用される。
【００２９】
しかし、枚葉紙パイルの上側の枚葉紙を分離するための吸引空気も必要である。このために必要な制御は、消費装置制御弁８によって行われる。この消費装置制御弁８は、マルチポート弁７によって制御される。このために、制御空気が、制御ライン１.２によってマルチポート弁７に供給される。マルチポート弁７の基本位置では、制御ライン９への空気の供給が遮断されている。これによって、消費装置制御弁(ピンチ弁)８には、圧縮空気が付与されない。したがって、吸引空気による空気供給のために、供給ライン１１は完全に開放された通路を有する。吸引空気供給をオフにすることは、マルチポート弁７の第２の切り替え位置によって行われる。これによって、制御空気が、消費装置制御弁８の制御ライン９を介して予め調節された圧力によって完全に作動する。供給ライン１１は、自身の弾性供給ライン要素の領域において消費装置制御弁８を圧縮する。これによって、吸引空気供給が中断される。その代わり、吸引空気供給の場合には、微調整で空気を調量する必要はない。その理由は、確実に枚葉紙を分離するためには、吸引空気の完全な負圧が常に使用可能になっていなくてはならないからである。ただし、いわばまとめて吸引されてしまう薄い材料等の特別な場合には、消費装置制御弁８を介して調量調節部を設けてもよい。その場合、この調量調節部は、基本位置にのみ関し、速度に依存するように構成される必要はない。ここでは基本的に、吸引空気の調量のための切り替えは、噴射空気のための切り替えに関して説明したのと同様のものとすることができる。
【００３０】
上述した装置によって、吸引空気が本来の枚葉紙分離のために導かれる前に、枚葉紙分離装置において噴射空気を用いて第１の枚葉紙を誘導することが簡単にできるようになる。このことは、実地での経験に照らすと非常に好都合である。
【００３１】
対応の制御装置では、以下の簡単な法則に従って動作が行われる。
【００３２】
まず、消費装置空気用のセンサによって、印刷機の速度または実際の枚葉紙スループットに関する信号が生成され、制御部に供給される。適切に変換することによって、基準信号が生成される。この基準信号によって、圧力制御弁４を制御することができる。
【００３３】
同様に、制御は、ＳＰＳ(内蔵プログラム制御)によって行ってもよい。このためには、パルスインプットの際に印刷機の速度(枚葉紙スループット)を評価し、その後、アナログアウトプットによって圧力制御弁４を制御するように制御が選択される。
【００３４】
また本発明によって提案される解決手段は、制御技法上、比較的コストがかからない。
【図面の簡単な説明】
【００３５】
【図１】枚葉紙分離装置の空気供給を制御するための装置を概略的に示す図である。
【符号の説明】
【００３６】
１  供給ライン
２  圧力弁
３  マルチポート弁
４  圧力制御弁
５  制御ライン
６  消費装置制御弁
７  マルチポート弁
８  消費装置制御弁
９  制御ライン
１０,１１  供給ライン
【図１】
2008024519.tif 000003